(57)【要約】【課題】  有名人との自然なツーショット合成写真の撮れる被服を提供する。【解決手段】  被服１は、一人以上の所定の人物を特定可能な名称１１を有し、名称１１は、所定のカメラと、当該カメラで撮影された画像を表示する表示手段３１と、所定のサーバ４と通信可能な通信手段と、を備える通信端末３によって撮影されることによりマーカとして識別されるとともに、サーバ４において人物を撮影した画像情報４１と関連付けて記憶され、当該被服１を身に着けた着用者２を名称１１とともにカメラで撮影することにより、通信手段によってサーバから受信される画像情報４１が表示手段３１において当該着用者の撮影画像の傍らに合成表示される。【選択図】      図２
0003205462.tif 000002
【実用新案登録請求の範囲】
【請求項１】
身に着ける被服であって、
一人以上の所定の人物を特定可能な名称を有し、
前記名称は、
所定のカメラと、当該カメラで撮影された画像を表示する表示手段と、所定のサーバと通信可能な通信手段と、を備える通信端末によって撮影されることによりマーカとして識別されるとともに、前記サーバにおいて前記人物を表した画像情報と関連付けて記憶され、
当該被服を身に着けた着用者を前記名称とともに前記カメラで撮影することにより、前記通信手段によって前記サーバから受信される前記画像情報が前記表示手段において当該着用者の撮影画像の傍らに合成表示される
ことを特徴とする被服。
【請求項２】
当該被服は、上半身に着けるものであり、
前記名称は、当該被服を身に着けた着用者の前側に位置する
ことを特徴とする請求項１記載の被服。
【請求項３】
当該被服を身に着けた状態において前記カメラで撮影するときの撮影条件が表された商品タグを備える
ことを特徴とする請求項１又は２記載の被服。
【考案の詳細な説明】
【技術分野】
【０００１】
本考案は、衣服、帽子、マフラー、バッグ、靴、アクセサリーなどの身に着ける被服に関し、特に、有名人やキャラクタなどの所定の人物を特定可能な名称の付された被服に関する。
【背景技術】
【０００２】
所定のマーカの付された身体を被写体として撮影した画像に、所定の画像情報を合成表示させる技術が知られている。
例えば、ユーザを撮影した画像に、当該ユーザが試着を望む衣料品に対応する画像情報を合成表示させることにより、画像上において試着を支援する試着支援システムが提案されている（特許文献１参照）。
このような技術を利用することにより、被写体に様々な画像情報を合成することができる。
【先行技術文献】
【特許文献】
【０００３】
【特許文献１】特開２０１６−４５６４号公報
【考案の概要】
【考案が解決しようとする課題】
【０００４】
ところで、有名人の販促グッズとして、シャツ、帽子、マフラー、バッグ、靴、アクセサリーなどの身に着ける被服がある。
このような被服には、その有名人を特定可能な名称が付されている。
このような名称は、通常、所定のデザインが施されたロゴマークとして表されている。
また、このような販促グッズの購入者は、その有名人のファンであることから、当該有名人と一緒に写真撮影すること、すなわち有名人とのツーショット写真を望んでいるが、実現することは困難である。
そこで、特許文献１の技術を利用して、マーカの付された身体を被写体として撮影した画像に、有名人を撮影した画像情報を合成表示させることもできる。
しかしながら、マーカを隠すように有名人の画像情報を合成表示させると、両者が前後に重なった合成画像となり有名人とのツーショット写真には見えない。
また、マーカを隠すことなく有名人の画像情報を合成表示させることもできるが、マーカとして機能する抽象的な図形やマークが見えてしまうと不自然なツーショット写真となる。
【０００５】
そこで、本考案は、有名人を特定可能な名称そのものをマーカとして利用することにより、有名人との自然なツーショット合成写真の撮れる被服の提供を目的とする。
【課題を解決するための手段】
【０００６】
上記目的を達成するため、本考案の被服は、身に着ける被服であって、一人以上の所定の人物を特定可能な名称を有し、前記名称は、所定のカメラと、当該カメラで撮影された画像を表示する表示手段と、所定のサーバと通信可能な通信手段と、を備える通信端末によって撮影されることによりマーカとして識別されるとともに、前記サーバにおいて前記人物を表した画像情報と関連付けて記憶され、当該被服を身に着けた着用者を前記名称とともに前記カメラで撮影することにより、前記通信手段によって前記サーバから受信される前記画像情報が前記表示手段において当該着用者の撮影画像の傍らに合成表示される構成としてある。
【考案の効果】
【０００７】
本考案によれば、被服を身に着けた着用者と有名人との自然なツーショット合成写真が撮れる。
【図面の簡単な説明】
【０００８】
【図１】被服の一例を示す正面図である。
【図２】被服を含む画像合成表示システムの概要を示すシステム図である。
【考案を実施するための形態】
【０００９】
本考案に係る被服の好ましい実施形態について、図１，２を参照して説明する。
【００１０】
本考案に係る被服１は、衣服、帽子、マフラーなどの着用可能な被服のうち、例えば、図１に示すように、Ｔシャツとしてある。
この被服１（Ｔシャツ）には、有名人などの所定の人物を特定可能な名称１１（例えば、芸名「パイレーツ」）が付されている。
【００１１】
この名称１１は、当該被服１を身に着けた着用者の前側に位置するように、Ｔシャツの前身頃に付されている。
また、名称１１は、所定のデザインが施されたデザイン文字（ロゴマーク）からなるとともに、プリント印刷によりシャツの生地に付されるインキや、接着又は縫着によりシャツの生地に付されるワッペンなどから構成されている。
また、名称１１は、その外観から所定の人物を特定できる機能だけでなく、カメラを備える通信端末３によって撮影したときに通信端末３によりマーカとして識別される機能を有する。
【００１２】
通信端末３は、コンピュータなどの情報処理装置からなり、所定のカメラと、当該カメラで撮影された画像を表示する表示手段３１（例えば、液晶表示器）と、所定のサーバ４と通信可能な通信手段と、を備えるスマートフォンなどのカメラ付きの携帯電話からなる。
このような構成からなる通信端末３は、例えば、インターネット通信網５を介してサーバ４と通信可能に接続される。
【００１３】
サーバ４は、コンピュータなどの情報処理装置からなり、そのメモリなどの記憶手段には、カメラにより撮影された名称１１を通信端末３にマーカとして識別させるためのプログラム、有名人などの人物を表した画像情報４１（実線部分の画像）、表示手段３１においてマーカとして識別された名称１１の位置及び大きさに対して、合成表示させる画像情報４１の位置及び大きさを示す配置情報などの画像情報４１を合成表示させるための合成表示情報が記憶されている。
なお、有名人などの人物を表した画像情報４１は、事前に撮影された人物の実画像が好ましいが、コンピュータグラフィクス技術を用いて作成された人物の仮想画像でもよい。また、この画像情報４１には、タイトル文字や背景画像を含めることもできる。
【００１４】
このような合成表示情報は、サーバ４から通信手段を介して通信端末３に送信される。
このような送信に先立ち、通信端末３に備えるタッチパネルなどの入力手段を介して個人情報（ＩＤ、パスワードなど）を入力し、さらに、被服１の種別（Ｔシャツ、帽子など）、被服１のサイズ（Ｓ，Ｍ，Ｌ，ＬＬなど）、及び被服１の個体情報（固有ＩＤ）などを特定可能な製品ＩＤ（これらの情報のうちの少なくとも一の情報を含む）を入力するとともに、これらを通信端末３がサーバ４に送信することによって、サーバ４によるアクセス承認の許可を事前に受けるなどの事前登録を行わせることもできる。
【００１５】
このような製品ＩＤは、被服１の販売時に付される商品タグ（被服１とは別体であり紐やピンを介して付されるラベルやタグ）に記載されていることが好ましい。特に、通信端末３が読取可能な２次元コード（例えば、ＱＲコード（登録商標））として表されていることが好ましい。また、この２次元コードには、サーバ４のアクセス先（ＵＲＬなどのアドレス）が含まれていることが好ましい。
また、このような製品ＩＤを、商品タグに代えて又は加えて、通信端末３が読取可能なコード情報（上記の２次元コードなど）として名称１１に含ませることもできる。
【００１６】
通信端末３は、このような合成表示情報をサーバ４から受信（ダウンロード）すると、所定のメモリに保存し、合成表示用の専用アプリとして実行させる。
例えば、このアプリを起動しながら、図２に示すように、被服１を身に着けた着用者２と名称１１が被写領域２１に収まるようにカメラで撮影すると、通信端末３に備える制御手段（ＣＰＵ）が専用アプリを実行することにより、名称１１をマーカとして識別するとともに、表示手段３１における名称１１の位置及び大きさを識別する。そして、制御手段は、このような識別に基づいて、表示手段３１において、撮影された着用者２の画像に、メモリに保存された有名人などの人物の画像情報４１を最適な位置及び大きさで合成表示させる。
【００１７】
この画像情報４１の合成表示にあたり、制御手段は、専用アプリに基づいて、名称１１の付された被服１の種別がＴシャツであることや、Ｔシャツのサイズ（Ｔシャツの大きさ及びその外形と名称１１との位置関係）を製品ＩＤ等から識別可能であることから、着用者２の画像に対して画像情報４１をどの位置に合成表示させることが最適であるかを判定（予測）することができる。
そして、このような判定（予測）により少なくとも着用者２の画像の上に画像情報４１が重ならないように合成表示させることができ、好ましくは、図２に示すように、着用者２の傍ら（間近、隣、近傍）にその人物がいるように画像情報４１を合成させることができる。
また、被服１の種別がＴシャツなどの上半身に身に着ける物であれば、その外形やサイズ（製品ＩＤ）から着用者２の肩の位置を予測できることから、図２に示すように、着用者２の肩に人物の手の画像を合成させることもできる。
【００１８】
そして、合成表示された合成画像情報をメモリに保存することにより、有名人とのツーショット合成写真が保存されることになる。
このような合成表示により、名称１１を画像情報４１により覆い隠すことなく、名称１１を活かしながら有名人との自然なツーショット合成写真が撮れることになる。
【００１９】
以上説明したように、本実施形態の被服１によれば、名称１１を画像情報４１により覆い隠すことなく、名称１１を活かしながら有名人などとの自然なツーショット合成写真を撮ることができる。
【００２０】
以上、本考案の被服１の好ましい実施形態について説明したが、本考案に係る被服１は上述した実施形態にのみ限定されるものではなく、以下に示すように、本考案の範囲で種々の変更実施が可能であることはいうまでもない。
【００２１】
被服１は、例えば、衣服、帽子、マフラー、靴などの身に着けるものであって、身体において定まった位置（部位）に着けるものが好ましい。
これにより、シャツならば胴、帽子ならば頭、マフラーならば首の位置が特定されることから、被写体となる着用者２と合成する画像の位置関係が定まるからである。
【００２２】
また、被服１は、身体上の位置関係の定まらないバッチ、バッグなどのアクセサリーでもよく、この場合、撮影にあたり、装着する身体の部位を着用者が事前に知得できるように、販売時において被服１に付される商品タグにその旨（例えば、バッチならば胸（左右も指定）に装着するなど）を記載することが好ましい。
このような商品タグは、アクセサリーに限らず、衣服、帽子、マフラー、靴などの身体において定まった位置に着ける被服においても付すことが好ましく、撮影に際しての装着方法（装着する身体の部位、装着の際の身体の向きに対する名称１１が向く方向など）、撮影時の身体の向き、被写領域２１などの、被服１を身に着けた状態においてカメラで撮影するときの撮影条件を商品タグに表す（印刷する）ことが好ましい。
【００２３】
また、サーバ４から受信する専用アプリなどの合成表示情報は、衣服、帽子、マフラー、靴、バッグ、アクセサリーなどの製品の種別ごとに応じた専用のものが好ましい。これは、製品の種別に応じて身に着ける位置が変わり、その結果、画像情報４１を合成するときの位置も変わるためである。この製品の種別は、通信端末３からサーバ４に送信される前述の製品ＩＤから特定されることが好ましい。
なお、製品の種別ごとに応じた専用の合成表示情報ではなく、複数の製品の種別に応じた汎用の合成表示情報でもよく、このようにした場合、購入した製品の種別を通信端末３に対する入力操作によって着用者２に選択させる構成とすればよい。
【００２４】
また、被服１は上半身に着けるものであって、名称１１の付される箇所は着用者２の前側に位置することが好ましい。例えば、シャツならば名称１１は前身頃に付されることが好ましい。これは、有名人などの人物とのツーショット合成写真を撮るためには、少なくとも着用者２の顔が写る必要があるためである。
一方、下半身に着けるもの（例えば、ズボン、靴など）にも名称１１を付すこともできる。この場合、着用者２の顔を写すためには、全身を被写領域２１とする必要があり、そうすると、撮影画像上において着用者２と人物それぞれの顔が占める領域の割合が小さくなってしまうものの、全身のツーショット写真を撮影することができる。
ツーショット写真としての価値を向上させるためには、着用者２の顔が確実にしかも比較的大きく写るように、被服１は上半身に着けるものがより好ましい。
【００２５】
また、名称１１をプリント印刷により生地に付すときのインキは、再帰反射性を有する印刷用インキを用いることが好ましい。
これにより、カメラで着用者２を撮影する際にストロボを発光させる場合において、名称１１の通信端末３による識別性を向上させることができるからである。
【００２６】
また、被服１は、有名人の経営するショップや、コンサート、ライブ、イヴェントなどの会場で販売される物品が好ましい。
また、被服１をコンサートなどで販売する物品としたときには、画像情報１１にコンサート名やツアー名などのタイトル表示（画像）や、コンサート又はライブ会場などの背景表示（画像）を人物画像とともに盛り込む（合成する）ことが好ましい。
【００２７】
また、合成表示される画像情報４１に含まれる人物は一人に限らず、二人以上でもよい。
また、人物とは、実在する人物に限らず、漫画のキャラクタなどの架空の人物でもよい。
【００２８】
また、通信端末３が画像情報４１を含む合成表示情報をサーバ４から受信するにあたり、受信（ダウンロード）可能な期限を設けることが好ましい。
例えば、被服１の販売期間や上記のコンサートのツアー期間などに限定してダウンロード可能としてもよい。
このようなダウンロード期間の制限は、サーバ４において期限管理することができる。
【００２９】
また、名称１１は、拡張現実（ＡＲ；Ａｕｇｕｍｅｎｔｅｄ  Ｒｅａｌｉｔｙ）のマーカとして機能することが好ましく、図２に示す被服１を含む画像合成表示システムは、拡張現実の技術を利用し、特に、カメラなどの撮像装置によって撮影される現実世界の撮影画像に対し、ＣＧ（コンピュータグラフィクス）技術を用いて作成された人物の仮想体や事前に撮影された人物の実体を重畳合成して表示させるシステムが好ましい。
【産業上の利用可能性】
【００３０】
本考案は、有名人の名称などのロゴマークの付された被服に広く利用することができる。
【符号の説明】
【００３１】
１  被服
１１  名称
２  着用者
３  通信端末
３１  表示手段
４  サーバ
４１  画像情報
５  インターネット通信網
【図１】
0003205462.tif 000003
【図２】
0003205462.tif 000004